(57)【特許請求の範囲】
【請求項１】
移動通信システムにおいて、基地局から移動端末への下り信号の送信電力を制御するための送信電力制御方法であって、
ソフトハンドオーバー時に前記移動端末から前記基地局へ、下り受信品質が最もよい前記下り信号を送信している基地局の基地局ＩＤを通知するステップと、
該移動端末から通知された前記基地局ＩＤに対応しない基地局から前記移動端末へのユーザデータの送信を停止するステップと、
前記移動端末において、各基地局での上り受信品質を推定して上り推定受信品質とするステップと、
前記ユーザデータを送信する可能性がある基地局を前記移動端末で前記上り推定受信品質を用いて推定するステップと、
前記ユーザデータを送信する可能性がある前記基地局からの前記下り信号を用いて、前記移動端末で、前記基地局の送信電力の過不足を判断するステップと、
前記移動端末より前記基地局へ、送信電力の過不足情報を通知するステップと、
前記移動端末より通知された、送信電力の前記過不足情報に応じて、前記基地局で送信電力を増減させるステップを有する送信電力制御方法。
【請求項２】
前記ユーザデータを送信する可能性があると推定される基地局は、前記上り推定受信品質の良くない基地局である、請求項１記載の送信電力制御方法。
【請求項３】
前記上り推定受信品質は、送信電力制御にて指示した送信電力の増減と、基地局から受信された下り信号の電力の増減との相関値により算出される、請求項１記載の送信電力制御方法。
【請求項４】
前記ユーザデータを送信する可能性がある、それぞれの前記基地局からの前記下り信号に重み付けして合成した信号を用いて前記基地局の送信電力の過不足を判断する、請求項１記載の送信電力制御方法。
【請求項５】
移動通信システムにおいて、基地局から移動端末への下り信号のユーザデータを復調するための受信方法であって、
ソフトハンドオーバー時に前記移動端末から前記基地局へ、下り受信品質が最もよい前記下り信号を送信している基地局の基地局ＩＤを通知するステップと、
該移動端末から通知された前記基地局ＩＤに対応しない基地局から前記移動端末へのユーザデータの送信を停止するステップと、
前記移動端末において、各基地局での上り受信品質を推定して上り推定受信品質とするステップと、
前記ユーザデータを送信する可能性がある基地局を前記移動端末で前記上り推定受信品質を用いて推定するステップと、
前記ユーザデータを送信する可能性がある前記基地局からの前記下り信号を用いて、前記移動端末で前記ユーザデータを復調するステップを有する受信方法。
【請求項６】
前記ユーザデータを送信する可能性があると推定される基地局は、前記上り推定受信品質の良くない基地局である、請求項５記載の受信方法。
【請求項７】
前記上り推定受信品質は、送信電力制御にて指示した送信電力の増減と、基地局から受信された下り信号の電力の増減との相関値により算出される、請求項５記載の受信方法。
【請求項８】
前記ユーザデータを送信する可能性がある、それぞれの前記基地局からの前記下り信号に重み付けして合成した信号を用いて前記ユーザデータを復調する、請求項５記載の受信方法。
【請求項９】
下り信号の送信電力を制御する移動通信システムであって、
通知された基地局ＩＤが自身に対応する場合にユーザデータを送信し、該基地局ＩＤが自身に対応しない場合に前記ユーザデータの送信を停止し、通知された、送信電力の過不足情報に応じて送信電力を増減させる複数の基地局と、
ソフトハンドオーバー時に、下り受信品質が最もよい前記下り信号を送信している基地局の基地局ＩＤを前記基地局に通知し、各基地局について上り受信品質を推定し、得られた上り推定受信品質を用いて、前記ユーザデータを送信する可能性がある基地局を推定し、推定された該基地局からの前記下り信号を用いて前記基地局の送信電力の過不足を判断し、前記基地局へ送信電力の前記過不足情報を通知する、少なくとも１つの移動端末を有する移動通信システム。
【請求項１０】
下り信号の送信電力を制御する移動通信システムであって、
通知された基地局ＩＤが自身に対応する場合にユーザデータを送信し、該基地局ＩＤが自身に対応しない場合に前記ユーザデータの送信を停止する複数の基地局と、
ソフトハンドオーバー時に、下り受信品質が最もよい前記下り信号を送信している基地局の基地局ＩＤを前記基地局に通知し、各基地局について上り受信品質を推定し、得られた上り推定受信品質を用いて、前記ユーザデータを送信する可能性がある基地局を推定し、推定された該基地局からの前記下り信号を用いて前記ユーザデータを復調する、少なくとも１つの移動端末を有する移動通信システム。
【請求項１１】
前記移動端末が、前記ユーザデータを送信する可能性があると推定する基地局は、前記上り推定受信品質の良くない基地局である、請求項９または１０記載の移動通信システム。
【請求項１２】
前記移動端末は、送信電力制御にて指示した送信電力の増減と、基地局から受信された下り信号の電力の増減との相関値により前記上り推定受信品質を算出する、請求項１１記載の移動通信システム。
【請求項１３】
前記移動端末は、推定された該基地局からの前記下り信号に重み付けして合成した信号を用いて前記基地局の送信電力の過不足を判断する、請求項９記載の移動通信システム。
【請求項１４】
前記移動端末は、推定された該基地局からの前記下り信号に重み付けして合成した信号を用いて前記ユーザデータを復調する、請求項１０記載の移動通信システム。
【請求項１５】
移動通信システムにおいて、基地局からの下り信号の送信電力を制御する移動端末であって、
ソフトハンドオーバー時に、下り受信品質が最もよい前記下り信号を送信している基地局を選択し、選択された該基地局のみにユーザデータを送信させるために、該基地局の基地局ＩＤを前記基地局へ通知する基地局選択手段と、
各基地局について上り受信品質を推定し、得られた上り推定受信品質を用いて、前記ユーザデータを送信する可能性がある基地局を推定する下り信号重み決定手段と、
前記ユーザデータを送信する可能性がある前記基地局からの前記下り信号を用いて、前記基地局の送信電力の過不足を判断し、前記送信電力の増減を指示する、下りＴＰＣコマンド決定手段を有する移動端末。
【請求項１６】
移動通信システムにおいて、基地局からの下り信号のユーザデータを受信する移動端末であって、
ソフトハンドオーバー時に、下り受信品質が最もよい前記下り信号を送信している基地局を選択し、選択された該基地局のみにユーザデータを送信させるために、該基地局の基地局ＩＤを前記基地局へ通知する基地局選択手段と、
各基地局について上り受信品質を推定し、得られた上り推定受信品質を用いて、前記ユーザデータを送信する可能性がある基地局を推定する下り信号重み決定手段と、
前記ユーザデータを送信する可能性がある前記基地局からの前記下り信号を用いて前記ユーザデータを復調するデータ復調手段を有する移動端末。
【請求項１７】
前記下り信号重み決定手段が、前記ユーザデータを送信する可能性があると推定する基地局は、前記上り推定受信品質の良くない基地局である、請求項１５または１６記載の移動端末。
【請求項１８】
前記下り信号重み決定手段は、送信電力制御にて指示した送信電力の増減と、基地局から受信された下り信号の電力の増減との相関値により前記上り推定受信品質を算出する、請求項１５または１６記載の移動端末。
【請求項１９】
前記下りＴＰＣコマンド決定手段は、推定された該基地局からの前記下り信号に重み付けして合成した信号を用いて前記基地局の送信電力の過不足を判断する、請求項１５記載の移動端末。
【請求項２０】
前記データ復調手段は、推定された該基地局からの前記下り信号に重み付けして合成した信号を用いて前記ユーザデータを復調する、請求項１６記載の移動端末。
【発明の詳細な説明】
【０００１】
【発明の属する技術分野】
本発明は、ＣＤＭＡ（符号分割多元接続：Ｃｏｄｅ  Ｄｉｖｉｓｉｏｎ  Ｍｕｌｔｉｐｌｅ  Ａｃｃｅｓｓ）移動通信システムに関し、特に、ＣＤＭＡ移動通信システムの移動端末にて受信される下り信号の利用方法に関する。
【０００２】
【従来の技術】
ＣＤＭＡ移動通信システムでは、一定の回線品質を確保しつつ、基地局から移動端末へ送信される無線電波の電力ができるだけ小さくなるように、基地局からの送信電力が制御される。
【０００３】
Ｗ−ＣＤＭＡ（Ｗｉｄｅｂａｎｄ  ＣＤＭＡ）移動通信システムにおける、従来の基地局選択送信電力制御方式について説明する。
【０００４】
図９は、ＣＤＭＡ移動通信システムにおける従来の基地局選択送信電力制御方式の概略を説明するための概念図である。ＣＤＭＡ移動通信システムは、複数の基地局及び複数の移動端末を有する。図９では、ＣＤＭＡ移動通信システムに含まれる、２つの基地局９１，９２及び１つの移動端末９３が示されている。
【０００５】
ここで、移動端末９３は、ソフトハンドオーバ状態にあり、同時に２つの基地局９１，９２と通信しているとする。
【０００６】
移動端末９３は、各基地局（ここでは、基地局９１，９２）が送信する共通パイロットチャネル（ＣＰＩＣＨ：Ｃｏｍｍｏｎ  Ｐｉｌｏｔ  Ｃｈａｎｎｅｌ）の伝搬状態を測定し、共通パイロットチャネルの伝搬状態が最も良い基地局を判別する。そして、移動端末９３は、その基地局の基地局ＩＤを各基地局に通知する。
【０００７】
移動端末９３から基地局ＩＤによって指定された基地局は、その移動端末９３への下りデータを個別データチャネル（ＤＰＤＣＨ：Ｄｅｄｉｃａｔｅｄ  Ｐｈｙｓｉｃａｌ  Ｄａｔａ  Ｃｈａｎｎｅｌ）で送信する。指定されなかった基地局は、その端末９３へ下りデータを送信しない。
【０００８】
また、基地局９１，９２は、移動端末９３から基地局ＩＤによって指定されているか否かに関りなく、その移動端末９３への制御信号を個別制御チャネル（ＤＰＣＣＨ：  Ｄｅｄｉｃｔｅｄ  Ｐｈｙｓｉｃａｌ  Ｃｏｎｔｒｏｌ  Ｃｈａｎｎｅｌ）で送信する。
【０００９】
移動端末９３は基地局ＩＤの他に、下り個別チャネル（ＤＰＣＣＨ，ＤＰＤＣＨ）の送信電力の増減を指示するＴＰＣ（Ｔｒａｎｓｍｉｔ  Ｐｏｗｅｒ  Ｃｏｎｔｒｏｌ）コマンドを基地局９１，９２へ送信する。
【００１０】
各基地局９１，９２は、移動端末９３からのＴＰＣコマンドによる指示に応じて、下り個別チャネルの送信電力を増減させる。
【００１１】
図１０は下りの個別チャネルの信号フォーマット例を示す図であり、図１１は上りの個別チャネルの信号フォーマット例を示す図である。
【００１２】
図１０に示された下り信号フォーマットにおいて、個別制御チャネルと個別データチャネルは時分割多重されて配置される。スロットは、個別制御チャネル及び個別データチャネルのフィールドを含む、一定時間内の信号である。
【００１３】
図１１に示された上り信号フォーマットにおいては、個別制御チャネルと個別データチャネルは直交変調され、互いに直交する信号成分として多重される。上り信号のスロットは、下り信号のスロットと同様に一定時間内の信号である。
【００１４】
個別制御チャネルには、パイロット信号、ＦＢＩ（Ｆｅｅｄｂａｃｋ  Ｉｎｆｏｒｍａｔｉｏｎ）信号及びＴＰＣ信号が時間多重される。
【００１５】
移動端末９３は、複数スロット分のＦＢＩ信号を用いて、基地局ＩＤを基地局９１，９２に通知する。
【００１６】
図１２は、移動端末９３の一構成例を示すブロック図である。
【００１７】
移動端末９３は、アンテナ１２１、サーキュレータ１２２、基地局選択回路１２３、下り受信品質測定回路１２４、下りＴＰＣコマンド決定回路１２５、マルチプレクサ（ＭＵＸ）１２６及びデータ復調回路１２９を有する。
【００１８】
アンテナ１２１は、基地局からの下り信号を受信し、また基地局９１，９２への上り信号を送信する。
【００１９】
サーキュレータ１２２は、アンテナ１２１で受信した下り信号を移動端末９３の内部に取り込み、また、基地局へ送信する上り信号をアンテナ１２１に供給する。
【００２０】
基地局選択回路１２３は、下り信号の伝搬損失を基地局毎に測定し、複数の基地局の中から伝搬損失が最小のものを選択する。
【００２１】
下り受信品質測定回路１２４は、基地局選択回路１２３により選択された基地局からの下り信号の受信品質を測定する。
【００２２】
下りＴＰＣコマンド決定回路１２５は、下り受信品質測定回路１２４で測定した受信品質に基づいて、基地局の送信電力を上げるべきか下げるべきか決定し、ＴＰＣコマンドとして出力する。例えば、下りＴＰコマンド決定回路１２５は、受信品質が所定の閾値以下の場合に送信電力を上げ、閾値以上の場合に送信電力を下げるよう基地局に指示するためのＴＰＣコマンドを出力する。
【００２３】
マルチプレクサ１２６は、端子１２８より入力される上りデータと、基地局選択回路１２３より入力される基地局ＩＤと、下りＴＰＣコマンド決定回路１２５より入力されるＴＰＣコマンドとを多重し、基地局へ送信される上り信号としてサーキュレータ１２２に出力する。
【００２４】
データ復調回路１２７は、基地局選択回路１２３により指定された基地局からの下り信号から下りデータを復調し、端子１２９から出力する。
【００２５】
図１３は、下り受信品質測定回路１２４の一構成例を示すブロック図である。
【００２６】
下り受信品質測定回路１２４は、マッチトフィルタ（ＭＦ）１３１及びＳＩＲ（Ｓｉｇｎａｌ  ｔｏ  Ｉｎｔｅｒｆｅｒｅｎｃｅ  Ｒａｔｉｏ）測定回路１３２で構成される。
【００２７】
マッチトフィルタ１３１は、基地局選択回路１２３により指定された基地局の信号を復調する。
【００２８】
ＳＩＲ測定回路１３２は、マッチトフィルタ１３１の出力信号の信号対干渉電力比を測定し、出力する。
【００２９】
図１４は、データ復調回路１２７の一構成例を示すブロック図である。
【００３０】
マッチトフィルタ１４１は、基地局選択回路１２３により指定された基地局の信号を復調する。
【００３１】
誤り訂正復号回路１４２は、マッチトフィルタ１４１の出力信号に対して誤り訂正復号を施し、下りデータを復号化する。
【００３２】
図１５は、下り個別チャネルの送信電力制御について説明するための図である。
【００３３】
移動端末９３は、基地局から受信した下り信号に含まれる個別制御チャネル（ＤＰＣＣＨ）の信号を用いて下り受信品質測定回路１２４で受信品質を測定し、下りＴＰＣコマンド決定回路１２５でＴＰＣコマンドを決定する。
【００３４】
ＴＰＣコマンドは、上り信号の個別制御チャネルのＴＰＣ信号として送信される。
【００３５】
基地局は移動端末９３からのＴＰＣ信号を受信し、ＴＰＣコマンドの指示に応じて、下り信号の個別チャネルの送信電力をスロット毎に増加或いは減少させる制御を行う。
【００３６】
図１６は、基地局ＩＤによる基地局選択送信制御について説明するための図である。ここでは、図９に示された、２つの基地局９１，９２及び移動端末９３に着目して説明する。
【００３７】
まず、移動端末９３は、基地局選択回路１２３で選択した基地局ＩＤを、上り信号の個別制御チャネルの複数のＦＢＩ信号を用いて基地局９１，９２へ通知する。このとき、基地局ＩＤには、伝送路誤りに強くするための符号化が施される。
【００３８】
各基地局９１，９２は、基地局ＩＤの最終スロットの情報を受信してから、所定のスロット数の後、基地局ＩＤに基づいて、個別データチャネル（ＤＰＤＣＨ）を送信するか否かの制御を行う。すなわち、基地局ＩＤで指定された基地局（ここでは、基地局９２）はＤＰＤＣＨを送信し、基地局ＩＤで指定されなかった基地局（ここでは、基地局９１）はＤＰＤＣＨを送信しない。
【００３９】
ただし、このとき基地局９１，９２は、送信しないとする判断は、基地局ＩＤの受信品質が一定以上である場合にのみ行うことができる。これにより、伝送誤りにより全ての基地局がＤＰＤＣＨを送信しない状態となる事態を回避することができる。
【００４０】
なお、各基地局９１，９２は、基地局ＩＤの指定に関らず、個別制御チャネル（ＤＰＣＣＨ）を常に送信している。移動端末９３は、基地局から受信したＤＰＣＣＨを参照してＴＰＣコマンドを決定する。ＴＰＣコマンドは、ＤＰＤＣＨの送信電力制御を行うためのものなので、ＤＰＤＣＨを送信している基地局からのＤＰＣＣＨを参照する必要がある。
【００４１】
【発明が解決しようとする課題】
従来の基地局選択送信電力制御方式においては、以下のような問題点がある。
【００４２】
上り信号の伝搬環境が悪く、基地局が移動端末９３からの基地局ＩＤを正常に受信できない場合に、移動端末９３により指定された以外の基地局が、下りデータを送信することがある。この場合、意図しない基地局からの下りデータは他の下り信号に対する干渉波となる。
【００４３】
移動端末９３のデータ復調回路１２７は、基地局ＩＤにより指定した基地局、すなわち、下りデータの送信を指示した基地局から受信される下り信号のみを用いて下りデータを復調するので、基地局ＩＤの伝送誤りによって、意図しない基地局から送信された下りデータが全く利用されず、周波数の利用効率が低下する。
【００４４】
本発明の目的は、上り信号の伝搬環境が悪い場合に、基地局から送信される下りデータを有効に利用可能とする移動通信システムを提供することである。
【００４５】
【課題を解決するための手段】
上記目的を達成するために、本発明の送信電力制御方法は、移動通信システムにおいて、基地局から移動端末への下り信号の送信電力を制御するための送信電力制御方法であって、ソフトハンドオーバー時に前記移動端末から前記基地局へ、下り受信品質が最もよい前記下り信号を送信している基地局の基地局ＩＤを通知するステップと、該移動端末から通知された前記基地局ＩＤに対応しない基地局から前記移動端末へのユーザデータの送信を停止するステップと、前記移動端末において、各基地局での上り受信品質を推定して上り推定受信品質とするステップと、前記ユーザデータを送信する可能性がある基地局を前記移動端末で前記上り推定受信品質を用いて推定するステップと、前記ユーザデータを送信する可能性がある前記基地局からの前記下り信号を用いて、前記移動端末で、前記基地局の送信電力の過不足を判断するステップと、前記移動端末より前記基地局へ、送信電力の過不足情報を通知するステップと、前記移動端末より通知された、送信電力の前記過不足情報に応じて、前記基地局で送信電力を増減させるステップを有している。
【００４６】
したがって、ユーザデータを送信する可能性のある基地局が推定され、それらの各基地局からの下り信号を用いて、下り送信電力制御が行われるので、上り受信品質が悪く、移動端末から通知された基地局ＩＤが誤って受信され、移動端末が選択していない基地局からユーザデータが送信された場合に、そのユーザデータを含めて送信電力制御を行うことができる。
【００４８】
本発明の実施態様によれば、前記ユーザデータを送信する可能性があると推定される基地局は、前記上り推定受信品質の良くない基地局である。
【００４９】
本発明の実施態様によれば、前記上り推定受信品質は、送信電力制御にて指示した送信電力の増減と、基地局から受信された下り信号の電力の増減との相関値により算出される。
【００５０】
本発明の実施態様によれば、前記ユーザデータを送信する可能性がある、それぞれの前記基地局からの前記下り信号に重み付けして合成した信号を用いて前記基地局の送信電力の過不足を判断する。
【００５１】
本発明の受信方法は、移動通信システムにおいて、基地局から移動端末への下り信号のユーザデータを復調するための受信方法であって、ソフトハンドオーバー時に前記移動端末から前記基地局へ、下り受信品質が最もよい前記下り信号を送信している基地局の基地局ＩＤを通知するステップと、該移動端末から通知された前記基地局ＩＤに対応しない基地局から前記移動端末へのユーザデータの送信を停止するステップと、前記移動端末において、各基地局での上り受信品質を推定して上り推定受信品質とするステップと、前記ユーザデータを送信する可能性がある基地局を前記移動端末で前記上り推定受信品質を用いて推定するステップと、前記ユーザデータを送信する可能性がある前記基地局からの前記下り信号を用いて、前記移動端末で前記ユーザデータを復調するステップを有している。
【００５２】
したがって、ユーザデータを送信する可能性のある基地局が推定され、それらの各基地局からの下り信号を用いて下りデータが復調されるので、上り受信品質が悪く、移動端末から通知された基地局ＩＤが誤って受信され、移動端末が選択していない基地局からユーザデータが送信された場合に、選択されていない基地局から送信されたユーザデータも下りデータの復調に利用される。
【００５４】
本発明の実施態様によれば、前記ユーザデータを送信する可能性があると推定される基地局は、前記上り推定受信品質の良くない基地局である。
【００５５】
本発明の実施態様によれば、前記上り推定受信品質は、送信電力制御にて指示した送信電力の増減と、基地局から受信された下り信号の電力の増減との相関値により算出される。
【００５６】
本発明の実施態様によれば、前記ユーザデータを送信する可能性がある、それぞれの前記基地局からの前記下り信号に重み付けして合成した信号を用いて前記ユーザデータを復調する。
【００５７】
本発明の移動通信システムは、下り信号の送信電力を制御する移動通信システムであって、通知された基地局ＩＤが自身に対応する場合にユーザデータを送信し、該基地局ＩＤが自身に対応しない場合に前記ユーザデータの送信を停止し、通知された、送信電力の過不足情報に応じて送信電力を増減させる複数の基地局と、ソフトハンドオーバー時に、下り受信品質が最もよい前記下り信号を送信している基地局の基地局ＩＤを前記基地局に通知し、各基地局について上り受信品質を推定し、得られた上り推定受信品質を用いて、前記ユーザデータを送信する可能性がある基地局を推定し、推定された該基地局からの前記下り信号を用いて前記基地局の送信電力の過不足を判断し、前記基地局へ送信電力の前記過不足情報を通知する、少なくとも１つの移動端末を有している。
【００５８】
本発明の実施態様によれば、前記移動端末は、推定された該基地局からの前記下り信号に重み付けして合成した信号を用いて前記基地局の送信電力の過不足を判断する。
【００５９】
本発明の他の移動通信ステムは、下り信号の送信電力を制御する移動通信システムであって、通知された基地局ＩＤが自身に対応する場合にユーザデータを送信し、該基地局ＩＤが自身に対応しない場合に前記ユーザデータの送信を停止する複数の基地局と、ソフトハンドオーバー時に、下り受信品質が最もよい前記下り信号を送信している基地局の基地局ＩＤを前記基地局に通知し、各基地局について上り受信品質を推定し、得られた上り推定受信品質を用いて、前記ユーザデータを送信する可能性がある基地局を推定し、推定された該基地局からの前記下り信号を用いて前記ユーザデータを復調する、少なくとも１つの移動端末を有している。
【００６０】
本発明の実施態様によれば、前記移動端末は、推定された該基地局からの前記下り信号に重み付けして合成した信号を用いて前記ユーザデータを復調する。
【００６２】
本発明の実施態様によれば、前記移動端末が、前記ユーザデータを送信する可能性があると推定する基地局は、前記上り推定受信品質の良くない基地局である。
【００６３】
本発明の実施態様によれば、前記移動端末は、送信電力制御にて指示した送信電力の増減と、基地局から受信された下り信号の電力の増減との相関値により前記上り推定受信品質を算出する。
【００６４】
本発明の移動端末は、移動通信システムにおいて、基地局からの下り信号の送信電力を制御する移動端末であって、ソフトハンドオーバー時に、下り受信品質が最もよい前記下り信号を送信している基地局を選択し、選択された該基地局のみにユーザデータを送信させるために、該基地局の基地局ＩＤを前記基地局へ通知する基地局選択手段と、各基地局について上り受信品質を推定し、得られた上り推定受信品質を用いて、前記ユーザデータを送信する可能性がある基地局を推定する下り信号重み決定手段と、前記ユーザデータを送信する可能性がある前記基地局からの前記下り信号を用いて、前記基地局の送信電力の過不足を判断し、前記送信電力の増減を指示する、下りＴＰＣコマンド決定手段を有している。
【００６５】
本発明の実施態様によれば、前記下りＴＰＣコマンド決定手段は、推定された該基地局からの前記下り信号に重み付けして合成した信号を用いて前記基地局の送信電力の過不足を判断する。
【００６６】
本発明の他の移動端末は、移動通信システムにおいて、基地局からの下り信号のユーザデータを受信する移動端末であって、ソフトハンドオーバー時に、下り受信品質が最もよい前記下り信号を送信している基地局を選択し、選択された該基地局のみにユーザデータを送信させるために、該基地局の基地局ＩＤを前記基地局へ通知する基地局選択手段と、各基地局について上り受信品質を推定し、得られた上り推定受信品質を用いて、前記ユーザデータを送信する可能性がある基地局を推定する下り信号重み決定手段と、前記ユーザデータを送信する可能性がある前記基地局からの前記下り信号を用いて前記ユーザデータを復調するデータ復調手段を有している。
【００６７】
前記データ復調手段は、推定された該基地局からの前記下り信号に重み付けして合成した信号を用いて前記ユーザデータを復調する。
【００６９】
本発明の実施態様によれば、前記下り信号重み決定手段が、前記ユーザデータを送信する可能性があると推定する基地局は、前記上り受信品質の良くない基地局である。
【００７０】
本発明の実施態様によれば、前記下り信号重み決定手段は、送信電力制御にて指示した送信電力の増減と、基地局から受信された下り信号の電力の増減との相関値により前記上り推定受信品質を算出する。
【００７１】
【発明の実施の形態】
本発明の一実施形態について、図面を参照して詳細に説明する。
【００７２】
本発明が前提とする移動通信システムにおいて、移動端末は基地局の送信電力の過不足を基地局に通知する。また、ソフトハンドオーバー時に、移動端末は下り受信品質が最もよい基地局の基地局ＩＤを通知する。
【００７３】
基地局は、移動端末から通知される送信電力の過不足の情報に応じて、送信電力を増加或いは減少させる。また、基地局は、移動端末から通知される基地局ＩＤが自身の基地局ＩＤと合致しない場合、移動端末へのユーザデータの送信を停止する。
【００７４】
本発明は、このような移動通信システムにおいて、基地局での基地局ＩＤの受信誤りを考慮し、基地局の送信電力の過不足を判断するものである。
【００７５】
ここでは、本発明の好適な一実施形態のＣＤＭＡ移動通信システムについて説明する。
【００７６】
図１は、本実施形態のＣＤＭＡ移動通信システムを説明するための概念図である。ＣＤＭＡ移動通信システムは、複数の基地局及び複数の移動端末を有する。図１には、ＣＤＭＡ移動通信システムに含まれる２つの基地局１１，１２と、１つの移動端末１３が示されている。
【００７７】
ここで、移動端末１３はソフトハンドオーバ状態にあり、同時に２つの基地局１１，１２と通信しているとする。
【００７８】
移動端末１３は、各基地局１１，１２が送信する共通パイロットチャネル（ＣＰＩＣＨ：Ｃｏｍｍｏｎ  Ｐｉｌｏｔ  Ｃｈａｎｎｅｌ）の伝搬状態を測定し、最も伝搬状態の良い共通パイロットチャネルを送信している基地局を判別する。そして、移動端末１３は、その基地局の基地局ＩＤを基地局１１，１２に通知する。
【００７９】
移動端末１３から基地局ＩＤによって指定された基地局は、その移動端末１３へのユーザデータである下りデータを、個別データチャネル（ＤＰＤＣＨ：Ｄｅｄｉｃａｔｅｄ  Ｐｈｙｓｉｃａｌ  Ｄａｔａ  Ｃｈａｎｎｅｌ）で送信する。指定されなかった基地局は、その移動端末１３へ個別データチャネルに信号を送信しない。図１では、基地局１１のみが下りデータを送信している。
【００８０】
また、基地局１１，１２は、移動端末１３から基地局ＩＤによって指定されているか否かに関りなく、その移動端末１３への制御信号を個別制御チャネル（ＤＰＣＣＨ：  Ｄｅｄｉｃａｔｅｄ  Ｐｈｙｓｉｃａｌ  Ｃｏｎｔｒｏｌ  Ｃｈａｎｎｅｌ）で送信する。
【００８１】
移動端末１３は基地局ＩＤの他に、下り個別チャネル（ＤＰＣＣＨ，ＤＰＤＣＨ）の送信電力の増減を指示するＴＰＣ（Ｔｒａｎｓｍｉｔ  Ｐｏｗｅｒ  Ｃｏｎｔｒｏｌ）コマンドを基地局１１，１２へ送信する。
【００８２】
各基地局１１，１２は、移動端末１３からのＴＰＣコマンドによる指示に応じて、下り個別チャネルの送信電力を増減させる。
【００８３】
本実施形態の上り及び下りの個別チャネルの信号フォーマットは、図１０及び図１１に示された従来のものと同じである。
【００８４】
図１０に示された下り信号フォーマットにおいて、個別制御チャネルと個別データチャネルは時分割多重されて配置される。スロットは、個別制御チャネル及び個別データチャネルのフィールドを含む、一定時間内の信号である。
【００８５】
図１１に示された上り信号フォーマットにおいては、個別制御チャネルと個別データチャネルは直交変調され、互いに直交する信号成分として多重される。上り信号のスロットは、下り信号のスロットと同様に一定時間内の信号である。
【００８６】
下りの個別制御チャネルには、パイロット信号、ＦＢＩ（Ｆｅｅｄｂａｃｋ  Ｉｎｆｏｒｍａｔｉｏｎ）信号及びＴＰＣ信号が時間多重される。
【００８７】
移動端末１３は、複数スロット分のＦＢＩ信号を用いて、基地局ＩＤを基地局１１，１２に通知する。
【００８８】
図２は、本実施形態の移動端末１３の一構成例を示すブロック図である。
【００８９】
移動端末１３は、アンテナ２０、サーキュレータ２１、基地局選択回路２２、下り信号重み決定回路２３、下り受信品質測定回路２４、下りＴＰＣコマンド決定回路２５、マルチプレクサ（ＭＵＸ）２６及びデータ復調回路２７を有する。
【００９０】
アンテナ２０は、基地局からの下り信号を受信し、また基地局１１，１２への上り信号を送信する。
【００９１】
サーキュレータ２１は、アンテナ２０で受信した信号Ｓ１を基地局選択回路２２、下り信号重み決定回路２３、下り受信品質測定回路２４及びデータ復調回路２７に入力する。また、サーキュレータ２１は、基地局へ送信する信号Ｓ２をアンテナ２０に供給する。
【００９２】
基地局選択回路２２は、信号Ｓ１より基地局毎の伝搬損失を測定し、複数の基地局の中から伝搬損失が最小のものを選択し、信号Ｓ３として下り信号重み決定回路２３及びマルチプレクサ２６に入力する。
【００９３】
下り信号重み決定回路２３は、基地局選択回路２２が選択した基地局を考慮し、各基地局が下りデータを送信する可能性に応じて各基地局からの受信信号に対する重みを決定する。すなわち、下り信号重み決定回路２３は、下りデータを送信する可能性がある基地局を推定し、その基地局に対して可能性の高さに応じた重みを与える。
【００９４】
図３を参照すると、下り信号重み決定回路２３は、電力測定回路３１，３２，３３、相関器３４，３５，３６、遅延回路３７及び調整回路３８を有する。
【００９５】
電力測定回路３１，３２，３３は、信号Ｓ１より各基地局からの受信信号電力を測定し、下り回線の伝搬特性を補正して、送信電力の増減を示す信号Ｓ４，Ｓ５，Ｓ６をそれぞれ出力する。
【００９６】
相関器３４，３５，３６は、電力測定回路３１，３２，３３からそれぞれへ入力する信号Ｓ４，Ｓ５，Ｓ６と、遅延回路３７の出力Ｓ７との相関値を計算し、信号Ｓ８，Ｓ９，Ｓ１０として調整回路３８に入力する。
【００９７】
遅延回路３７は、下りＴＰＣコマンド決定回路２５から信号Ｓ１１として入力するＴＰＣコマンドを１スロット分の時間だけ遅延させ、信号Ｓ７として出力する。
【００９８】
図４を参照すると、移動端末１３は下り信号を受信して、下り受信品質を測定し、それに基づいて決定した基地局の送信電力を制御するためのＴＰＣコマンドを上り信号で基地局に通知する。従って、図４より理解できるように、信号Ｓ７で示されるＴＰＣコマンドと、信号Ｓ４，Ｓ５，Ｓ６で示される各基地局の送信電力の増減とは相関関係を有する。
【００９９】
受信品質が理想的なものであれば、基地局はＴＰＣコマンドの指示通りに送信電力を増減させる。しかし、上り回線の受信品質が低下する程、ＴＰＣコマンドの指示と送信電力の増減とが一致しなくなる。従って、信号Ｓ８，Ｓ９，Ｓ１０で示される相関値は、各基地局がＴＰＣコマンドを正しく受信できているか、すなわち、上り回線の受信品質の推定値（上り推定受信品質）を示す。
【０１００】
また、上り受信品質が低下する程、基地局で基地局ＩＤが誤って受信される可能性が高い。従って、上り推定受信品質を示す相関値は、基地局が基地局ＩＤを誤って受信する可能性の高さを示す。
【０１０１】
調整回路３８は、相関器３４，３５，３６より入力した信号Ｓ８，Ｓ９，Ｓ１０と、基地局選択回路２２が選択した基地局を示す信号Ｓ３を参照し、下りデータを送信する可能性の高さに応じて各基地局に対する重みを決定し、信号Ｓ１２，Ｓ１３，Ｓ１４として下り受信品質測定回路２４及びデータ復調回路２７に入力する。
【０１０２】
例えば、重み付けする際に、調整回路３８は、基地局選択回路２２が選択した基地局の重みを“１”とする。また、調整回路３８は、選択されなかった基地局について、上り回線の品質が所定の閾値未満の場合に重みを“１”とし、閾値以上の場合に重みを“０”にする。或いは、調整回路３８は、図５に示すように、選択された基地局の重みＷ１を“１”とし、選択されなかった基地局の重みＷ２を上り回線の品質に応じて、“０”から“１”の範囲で変化させてもよい。
【０１０３】
下り受信品質測定回路２４は、下り信号重み決定回路２３で決定された重みを考慮して、各基地局からの信号を合成し、その合成信号の受信品質、すなわち下り受信品質を測定する。
【０１０４】
図６を参照すると、下り受信品質測定回路２４は、マッチトフィルタ６１，６２，６３、乗算器６４，６５，６６、加算器６７及びＳＩＲ測定回路６８を有する。
【０１０５】
マッチトフィルタ６１，６２，６３は、信号Ｓ１より所定の拡散符号を用いて各基地局からの下り信号を復調し、信号Ｓ１５，Ｓ１６，Ｓ１７として乗算器６４，６５，６６へそれぞれ入力する。
【０１０６】
乗算器６４，６５，６６は、下り信号重み決定回路２３よりそれぞれへ入力した、重みを示す信号Ｓ１２，Ｓ１３，Ｓ１４と、マッチトフィルタ６１，６２，６３よりそれぞれへ入力した信号Ｓ１５，Ｓ１６，Ｓ１７とをそれぞれ乗算する。
【０１０７】
加算器６７は、乗算器６４，６５，６６の出力を加算し、その結果を信号Ｓ１８としてＳＩＲ測定回路６８に入力する。
【０１０８】
ＳＩＲ測定回路６８は、信号Ｓ１８について信号対干渉電力比を測定し、測定結果である下り受信品質を信号Ｓ１９として出力する。
【０１０９】
下りＴＰＣコマンド決定回路２５は、下り受信品質測定回路２４で測定した下り受信品質に基づいて送信電力の過不足を判断し、基地局の送信電力を上げるべきか下げるべきか決定し、その決定内容を示すＴＰＣコマンドを信号Ｓ１１として出力する。例えば、下りＴＰＣコマンド決定回路２５は、下り受信品質が所定の閾値より小さい場合に送信電力を上げ、閾値以上の場合に送信電力を下げるよう基地局に指示するＴＰＣコマンドを出力する。
【０１１０】
マルチプレクサ２６は、端子２８より入力される上りデータの信号Ｓ２０と、基地局選択回路２２より入力される基地局ＩＤを示す信号Ｓ３と、下りＴＰＣコマンド決定回路２５より入力される、ＴＰＣコマンドを示す信号Ｓ１１とを多重し、図１１に示した信号フォーマットの信号Ｓ２をサーキュレータ２１に入力する。
【０１１１】
データ復調回路２７は、信号Ｓ１から下りデータを復調し、端子２９より出力する。
【０１１２】
図７を参照すると、データ復調回路２７は、マッチトフィルタ７１，７２，７３、乗算器７４，７５，７６、加算器７７及び誤り訂正復号回路７８を有する。
【０１１３】
マッチトフィルタ７１，７２，７３は、信号Ｓ１より所定の拡散符号を用いて各基地局からの信号を復調し、信号Ｓ２１，Ｓ２２，Ｓ２３として乗算器７４，７５，７６へそれぞれ入力する。
【０１１４】
乗算器７４，７５，７６は、下り信号重み決定回路２３よりそれぞれへ入力した、重みを示す信号Ｓ１２，Ｓ１３，Ｓ１４と、マッチトフィルタ７４，７５，７６よりそれぞれへ入力した信号Ｓ２１，Ｓ２２，Ｓ２３とを乗算する。
【０１１５】
加算器７７は乗算器７４，７５，７６の出力を加算し、その結果を信号Ｓ２４として誤り訂正復号回路７８に入力する。
【０１１６】
誤り訂正復号回路７８は、信号Ｓ２４に対して誤り訂正復号化を施して下りデータを復号化し、信号Ｓ２５として出力する。
【０１１７】
本実施形態のＣＤＭＡ移動通信システムの下り送信電力制御動作について説明する。
【０１１８】
移動端末１３の動作について説明する。
【０１１９】
先ず、移動端末１３は、基地局選択回路２２で、各基地局からの共通パイロットチャネルの伝搬状態を測定し、共通パイロットチャネルの伝搬状態が最も良い基地局を選択する。選択された基地局の基地局ＩＤは各基地局へ通知される。
【０１２０】
次に、移動端末１３は、下り信号重み決定回路２３で、各基地局からの信号の受信電力と、ＴＰＣコマンドと、基地局選択回路２２からの基地局ＩＤとから、各基地局が下りデータを送信している可能性に応じて各基地局からの受信信号に対する重みを決定する。
【０１２１】
次に、移動端末１３は、下り受信品質測定回路２４で、下り信号重み決定回路２３により決定された重みを考慮して各基地局からの信号を合成し、その合成信号の受信品質、すなわち下り受信品質を測定する。
【０１２２】
次に、移動端末１３は、下りＴＰＣコマンド決定回路２５で、下り受信品質測定回路２４により測定された下り受信品質に基づいて、基地局の送信電力を増加或いは減少させるＴＰＣコマンドを出力する。ＴＰＣコマンドは基地局に通知されるとともに、下り信号重み決定回路２３に入力される。
【０１２３】
また、下り信号重み決定回路２３により決定された重みは、データ復調回路２７にも入力される。移動端末１３は、データ復調回路２７で、その重みを考慮して各基地局からの信号を合成し、誤り訂正を施した後の信号を受信データとして用いる。
【０１２４】
基地局の動作について説明する。
【０１２５】
基地局は移動端末から基地局ＩＤの通知を受けると、その基地局ＩＤが自身のものと一致するか否か判定し、一致した場合に下りデータをＤＰＤＣＨで送信する。また、基地局は、移動端末１３から通知された基地局ＩＤが自身のものと一致しなかった場合、ＤＰＤＣＨで信号を送信しない。
【０１２６】
なお、基地局は、移動端末１３から通知された基地局ＩＤに関りなく、制御信号をＤＰＣＣＨで送信する。
【０１２７】
また、基地局は、移動端末１３からのＴＰＣコマンドによる指示を受けると、ＤＰＤＣＨの送信電力を増減させる。
【０１２８】
本実施形態によれば、ＤＰＤＣＨを送信する可能性のある基地局が推定され、それらの各基地局からの下り信号が重み付けされ、合成された信号により、下り送信電力制御が行われるので、各基地局からのＤＰＤＣＨの送信電力をより適切に制御でき、他の移動端末への下り信号に対する干渉が低減される。
【０１２９】
また、ＤＰＤＣＨを送信する可能性のある基地局が推定され、それらの各基地局からの受信信号が合成された受信信号により下りデータが復調されるので、下りのＤＰＤＣＨの信号が有効に利用される。
【０１３０】
次に、本発明の他の実施形態について説明する。
【０１３１】
図８は、本発明の他の実施形態の移動端末８０は、アンテナ８１、サーキュレータ８２、基地局選択回路８３、下り信号重み決定回路８４、下り受信品質測定回路８５、下りＴＰＣコマンド決定回路８６、マルチプレクサ（ＭＵＸ）８７及びデータ復調回路８８を有する。
【０１３２】
アンテナ８１、サーキュレータ８２、基地局選択回路８３、下り信号重み決定回路８４、下りＴＰＣコマンド決定回路８６、マルチプレクサ８７及びデータ復調回路８８は、図２に示したアンテナ２０、サーキュレータ２１、基地局選択回路２２、下り信号重み決定回路２３、下りＴＰＣコマンド決定回路２５、マルチプレクサ２６及びデータ復調回路２７とそれぞれ同じものである。
【０１３３】
下り受信品質測定回路８５は、図１２に示された従来の下り受信品質測定回路１２４と同じものである。下り受信品質測定回路８５は、基地局選択回路８３により選択された基地局からの下り信号の受信品質を測定する。
【０１３４】
下り信号重み決定回路８４で決定された重みは、データ復調回路８８が各基地局からの受信信号を合成して下りデータを復調する際にのみ用いられる。
【０１３５】
図８の実施形態によれば、ＤＰＤＣＨを送信する可能性のある基地局が推定され、それらの各基地局からの下り信号が重み付けされ、合成された信号により、下りデータが復調されるので、移動端末８０の受信品質が向上する。
【０１３６】
【発明の効果】
本発明によれば、移動端末により選択されていない基地局から送信されたユーザデータを含めて送信電力制御を行うことができるので、他の移動端末への下り信号に対する干渉が低減され、また、下りのユーザデータの信号が有効に利用される。
【０１３７】
また、本発明によれば、移動端末により選択されていない基地局から送信されたユーザデータが下りデータの復調に利用され、移動端末における下り受信品質が向上する。
【図面の簡単な説明】
【図１】本発明の一実施形態のＣＤＭＡ移動通信システムを説明するための概念図である。
【図２】本実施形態の移動端末の一構成例を示すブロック図である。
【図３】本実施形態の下り信号重み決定回路の構成を示すブロック図である。
【図４】本実施形態における下り送信電力制御の動作の様子を示すタイミングチャートである。
【図５】重み付けにおいて使用される、上り回線の品質と重みとの関係の一例を示すグラフである。
【図６】本実施形態の下り受信品質測定回路の構成を示すブロック図である。
【図７】本実施形態のデータ復調回路の構成を示すブロック図である。
【図８】本発明の他の実施形態の移動端末の構成を示すブロック図である。
【図９】ＣＤＭＡ移動通信システムにおける従来の基地局選択送信電力制御方式の概略を説明するための概念図である。
【図１０】ＣＤＭＡ移動通信システムにおける、下りの個別チャネルの信号フォーマット例を示す図である。
【図１１】ＣＤＭＡ移動通信システムにおける、上りの個別チャネルの信号フォーマット例を示す図である。
【図１２】従来の移動端末の一構成例を示すブロック図である。
【図１３】従来の下り受信品質測定回路の一構成例を示すブロック図である。
【図１４】従来のデータ復調回路の一構成例を示すブロック図である。
【図１５】従来の下り個別チャネルの送信電力制御について説明するための図である。
【図１６】従来の、基地局ＩＤによる基地局選択送信制御について説明するための図である。
【符号の説明】
１１，１２    基地局
１３    移動端末
２０    アンテナ
２１    サーキュレータ
２２    基地局選択回路
２３    下り信号重み決定回路
２４    下り受信品質測定回路
２５    下りＴＰＣコマンド決定回路
２６    マルチプレクサ（ＭＵＸ）
２７    データ復調回路
３１，３２，３３    電力測定回路
３４，３５，３６    相関器
３７    遅延回路
３８    調整回路
６１，６２，６３    マッチトフィルタ
６４，６５，６６    乗算器
６７    加算器
６８    ＳＩＲ測定回路
７１，７２，７３    マッチトフィルタ
７４，７５，７６    乗算器
７７    加算器
７８    誤り訂正復号回路
８０    移動端末
８１    アンテナ
８２    サーキュレータ
８３    基地局選択回路
８４    下り信号重み決定回路
８５    下り受信品質測定回路
８６    下りＴＰＣコマンド決定回路
８７    マルチプレクサ（ＭＵＸ）
８８    データ復調回路
Ｓ１〜Ｓ２５    信号
Ｗ１，Ｗ２    重み
【図１】
0003552038.tif 000002
【図２】
0003552038.tif 000003
【図３】
0003552038.tif 000004
【図４】
0003552038.tif 000005
【図５】
0003552038.tif 000006
【図６】
0003552038.tif 000007
【図７】
0003552038.tif 000008
【図８】
0003552038.tif 000009
【図９】
0003552038.tif 000010
【図１０】
0003552038.tif 000011
【図１１】
0003552038.tif 000012
【図１２】
0003552038.tif 000013
【図１３】
0003552038.tif 000014
【図１４】
0003552038.tif 000015
【図１５】
0003552038.tif 000016
【図１６】
0003552038.tif 000017